(57)【要約】【課題】  コピーガード情報が記録されていないＤＶＤであってもダビングを不可能にする複合情報記録再生装置を提供する。【解決手段】  複合情報記録再生装置は、光ディスクに記録されている情報を再生する光ディスク再生部２と、磁気テープに情報を記録するＶＣＲ記録再生部３と、光ディスク再生部２の映像信号、音声信号出力部と、ＶＣＲ記録再生部３の映像信号、音声信号入力部との間に直列接続されたスイッチ回路４と、これらを制御するマイコン１とを備える。マイコン１は、光ディスク再生部２に装着された光ディスクがＤＶＤであると識別すると、スイッチ回路４にスイッチＯＦＦ制御信号を出力する。スイッチ回路４は、このスイッチＯＦＦ制御信号に基づいて、光ディスク再生部２の映像信号、音声信号出力部と、ＶＣＲ記録再生部３の映像信号、音声信号入力部との間を電気的に切断する。【選択図】  図１
2005346799.tif 000002
【特許請求の範囲】
【請求項１】
光ディスクの再生を行う光ディスク再生手段と、磁気テープの記録再生を行う磁気テープ記録再生手段とを備え、光ディスクに記録されている情報を再生して前記磁気テープに記録することが可能な複合情報記録再生装置において、
前記光ディスク再生手段から前記磁気テープ記録再生手段への映像信号の伝送経路と、前記光ディスク再生手段から前記磁気テープ記録再生手段への音声信号の伝送経路とに形成されたスイッチ回路と、
前記光ディスクがＤＶＤと識別された場合に前記スイッチ回路に記録不能制御を行うとともに、前記光ディスク再生手段の再生動作を停止する制御を行い、且つ、記録不能であることを示す表示制御を行う制御手段とを備えたことを特徴とする複合情報記録再生装置。
【請求項２】
光ディスクの再生を行う光ディスク再生手段と、磁気テープの記録再生を行う磁気テープ記録再生手段とを備え、光ディスクに記録されている情報を再生して前記磁気テープに記録することが可能な複合情報記録再生装置において、
前記光ディスク再生手段から前記磁気テープ記録再生手段への映像信号の伝送経路と、前記光ディスク再生手段から前記磁気テープ記録再生手段への音声信号の伝送経路とに形成されたスイッチ回路と、
前記光ディスクがＤＶＤと識別された場合に前記スイッチ回路に記録不能制御を行う制御手段とを備えたことを特徴とする複合情報記録再生装置。
【請求項３】
前記制御手段は、前記記録不能制御を行う際に、前記光ディスク再生手段の再生動作を停止する制御を行う請求項２に記載の複合情報記録再生装置。
【請求項４】
前記制御手段は、前記記録不能制御を行う際に、記録不能であることを示す表示制御を行う請求項２または請求項３のいずれかに記載の複合情報記録再生装置。
【発明の詳細な説明】
【技術分野】
【０００１】
この発明は、ＤＶＤ等の光ディスクの再生機能と、ＶＣＲ等の磁気テープの記録再生機能とを単一の筐体内に備える複合情報記録再生装置に関するものである。
【背景技術】
【０００２】
従来、ＤＶＤ等の光ディスクの情報を再生する光ディスク装置と、ＶＣＲ等の磁気テープへの情報記録や情報再生を行う磁気テープ記録再生装置と、単一の筐体に一体に配置した複合情報記録再生装置が各種考案されている。
【０００３】
このような複合情報記録再生装置では、光ディスクに記録されている情報を再生して磁気テープに記録する操作を容易にできる機能が設けられており、これにより、ユーザは光ディスクに記録されている映像や音声を磁気テープにダビングする。しかしながら、このようなダビング処理は、個人の趣味範囲で行うことは問題ないが、商用で用いる場合には、著作権法に違反することであり、現在の光ディスク特にＤＶＤにはコピーガード機能が設けられている。そして、このようなコピーガードを行う方法として、従来各種の方法が考案されている（例えば、特許文献１、特許文献２参照。）
【特許文献１】特開２０００−２１５４６０公報
【特許文献２】特開２００３−２４９０１０公報
【発明の開示】
【発明が解決しようとする課題】
【０００４】
ところが、殆どのＤＶＤにはコピーガード情報が記録されているが、中には、このコピーガード情報が記録されていないものも存在する。このようなＤＶＤは、従来の複合情報記録再生装置でダビングすることが可能であり、このＤＶＤに関する著作権を保護することができなかった。
【０００５】
この発明の目的は、コピーガード情報が記録されていないＤＶＤであってもダビングを不可能にする複合情報記録再生装置を提供することにある。
【課題を解決するための手段】
【０００６】
この発明は、光ディスクの再生を行う光ディスク再生手段と、磁気テープの記録再生を行う磁気テープ記録再生手段とを備え、光ディスクに記録されている情報を再生して磁気テープに記録することが可能な複合情報記録再生装置において、光ディスク再生手段から磁気テープ記録再生手段への映像信号の伝送経路と光ディスク再生手段から磁気テープ記録再生手段への音声信号の伝送経路とに形成されたスイッチ回路と、光ディスクがＤＶＤと識別された場合にスイッチ回路に記録不能制御を行う制御手段とを備えたことを特徴としている。
【０００７】
この構成では、光ディスク再生手段に光ディスクが装着されて、ＴＯＣ情報が読み出される際に、該光ディスクの種別が検出される。この検出された光ディスクの種別情報は、制御手段に入力される。制御手段は、入力された光ディスクの種別情報から装着された光ディスクがＤＶＤであれば、スイッチ回路に光ディスク再生手段と磁気テープ記録再生手段とを導通する回路を切断する制御信号を出力する。スイッチ回路は、光ディスク再生手段と磁気テープ記録再生手段とを導通する回路を切断するスイッチングを行う。これにより、光ディスク再生手段と磁気テープ記録再生手段とが電気的に切断されて、光ディスクに記録されている情報が磁気テープ記録再生手段に伝送されない。
【０００８】
また、この発明の複合情報記録再生装置の制御手段は、記録不能制御を行う際に、光ディスク再生手段の再生動作を停止する制御を行うことを特徴としている。
【０００９】
この構成では、スイッチ回路で光ディスク再生手段と磁気テープ記録再生手段とを導通する回路を切断するとともに、光ディスク再生手段で再生動作が停止するので、ダビングのみを目的とした再生状態での不必要な再生動作が防止される。
【００１０】
また、この発明の複合情報記録再生装置の制御手段は、記録不能制御を行う際に、記録不能であることを示す表示制御を行うことを特徴としている。
【００１１】
この構成では、スイッチ回路で光ディスク再生手段と磁気テープ記録再生手段とを導通する回路を切断するとともに、記録不能であることが表示されるので、ユーザに光ディスクの情報を記録することができないことを認識させる。
【発明の効果】
【００１２】
この発明によれば、光ディスクがＤＶＤであった場合に、光ディスク再生手段と磁気テープ記録再生手段とが電気的に切断されて、光ディスクに記録されている情報が磁気テープ記録再生手段に伝送されないので、ＤＶＤにコピーガードが備えられているかのどうかに関わらず、当該ＤＶＤに記録されている映像や音声を保護することができる。
【００１３】
また、この発明によれば、スイッチ回路で光ディスク再生手段と磁気テープ記録再生手段とを導通する回路を切断するとともに、光ディスク再生手段で再生動作が停止するので、ダビングのみを目的とした再生状態での不必要な再生動作を防止することができる。
【００１４】
また、この発明によれば、スイッチ回路で光ディスク再生手段と磁気テープ記録再生手段とを導通する回路を切断するとともに、記録不能であることを表示するので、ユーザは光ディスクの情報を記録することができないことを認識することができる。
【発明を実施するための最良の形態】
【００１５】
本発明の実施形態に係る複合情報記録再生装置について図を参照して説明する。
【００１６】
図１は、本実施形態の複合情報記録再生装置の概略構成を示すブロック図である。なお、本実施形態では、複合情報記録再生装置として、光ディスク−ＶＣＲ複合機を例に説明する。
【００１７】
また、図２は、図１に示したスイッチ回路の内部ブロックを示した図であり、（ａ）はスイッチＯＮ状態を示し、（ｂ）はスイッチＯＦＦ状態を示す。
【００１８】
図１に示すように、光ディスク−ＶＣＲ複合機は、ＤＶＤやＣＤ−ＲＯＭ等に記録されている映像や音声を再生する光ディスク再生部２と、ビデオカセットの磁気テープに映像や音声記録するとともに、記録されいてる映像や音声を再生するＶＣＲ記録再生部３（本発明の「磁気テープ記録再生手段」に相当。）と、これらの部分を含む装置全体の制御を行うマイコン１（本発明の「制御手段」に相当。）とを備える。また、光ディスク−ＶＣＲ複合機は、光ディスク再生部２とＶＣＲ記録再生部３との間に接続されたスイッチ回路４を備える。
【００１９】
光ディスク再生部２は、光ディスクから情報を読み取る光ディスク情報読取部２１と、該光ディスク情報読取部２１で読み取った情報を所定形式のディジタルデータに変換し、さらに映像信号および音声信号に変換する光ディスクデータ処理部２２とを備える。
【００２０】
光ディスク情報読取部２１は、光ディスクにレーザ光を照射して、光ディスクからの反射光を受光することで、光ディスクに記録されている情報を読み取り電気信号に変換する光ピックアップと、読み取った電気信号を増幅するアンプと、ステッピングモータを駆動させて光ピックアップを光ディスクの径方向に移動させるトラバース機構と、光ディスクを保持するターンテーブルを回転させるスピンドルモータと、これらモータを制御するモータドライバおよびサーボ回路とを備える。
【００２１】
光ディスクデータ処理部２２は、光ディスク情報読取部２１で読み取られた情報信号を所定のディジタルデータにデコードするデコーダと、デコードされたディジタルデータを映像信号および音声信号にエンコードするエンコーダとを備える。
【００２２】
ＶＣＲ記録再生部３は、ビデオテープから情報を読み出すとともに、ビデオテープに情報を書き込む情報読取書込部３１と、該情報読取書込部３１から読み出された信号を映像信号および音声信号に変換する情報処理部３２とを備える。
【００２３】
情報読取書込部３１は、ビデオテープ１１から読み取った映像および音声を読み取る再生磁気ヘッドや、ビデオテープ１１への映像および音声の記録を行う記録磁気ヘッドと、ビデオテープの搬送等に用いるローディングモータ、ドラムモータ３、およびキャプスタンモータとを備える。
【００２４】
情報処理部３２は、前記再生磁気ヘッドで読み取った映像および音声を映像信号および音声信号に変換し、入力された映像信号および音声信号を所定形式の信号に変換して前記記録磁気ヘッドに出力する映像処理部（ＹＣＡ  ＩＣ）３３と、前記音声信号のうちＨＩＦＩ音声信号のみを変換して出力するとともに、入力されたＨＩＦＩ信号を所定形式の信号に変換して出力する音声処理部（ＨＩＦＩ  ＩＣ）３４とを備える。
【００２５】
マイコン１は、光ディスク−ＶＣＲ複合機全体の制御を行うとともに、光ディスク際せ部２から出力される光ディスクの種別を識別する信号に応じて、スイッチ回路４にスイッチ制御信号を出力する。
【００２６】
スイッチ回路４は、光ディスク再生部２の光ディスクデータ処理部２２とＶＣＲ記録再生部３の映像処理部３３とを導通する回路に直列接続された映像用スイッチ回路４１と、光ディスク再生部２の光ディスクデータ処理部２２とＶＣＲ記録再生部３の音声処理部３４とを導通する回路に直列接続された音声用スイッチ回路４２とを備える。これら映像用スイッチ回路４１、音声用スイッチ回路４２には、スイッチ制御信号入力端子が備えられており、マイコン１から入力されるスイッチ制御信号に応じてＯＮ／ＯＦＦ制御される。このようなスイッチ回路としては、例えば、ＦＥＴやトランジスタを用いた回路があり、図示したように、それぞれのスイッチ回路を別体で形成してもよいし、一つのスイッチ回路ＩＣで形成してもよい。
【００２７】
ここで、映像用スイッチ回路４１、音声用スイッチ回路４２のＯＮ状態とは、光ディスクデータ処理部２２と、映像処理部３３および音声処理部３４とを導通させる状態を示し、ＯＦＦ状態とは、光ディスクデータ処理部２２と、映像処理部３３および音声処理部３４とを切断する状態を示す。
【００２８】
このような光ディスク−ＶＣＲ複合機において、光ディスクに記録されている情報をビデオテープにダビングする方法について、次に説明する。
【００２９】
図３はダビング制御のマイコンの制御フローを示すフローチャートである。
【００３０】
光ディスク情報読取部２１は、光ディスクが装着されると、光ディスクに記録されているＴＯＣ情報を読み取り、光ディスクデータ処理部２２に出力する。光ディスクデータ処理部２２は、このＴＯＣ情報から、装着されている光ディスクの種別を識別して、種別識別信号をマイコン１に出力する。
【００３１】
マイコン１は、入力された種別識別信号から光ディスク情報読取部２１に装着されている光ディスクの種別を識別する（Ｓ１）。そして、光ディスクがＤＶＤであれば、スイッチＯＦＦ制御信号をスイッチ回路４に出力する（Ｓ２→Ｓ３）。
【００３２】
スイッチ回路４はマイコン１からスイッチＯＦＦ制御信号が入力されると、映像用スイッチ回路４１と音声用スイッチ回路４２とをＯＦＦ状態にする。この一連の制御が本発明の「記録不能制御」に相当する。これにより、光ディスク再生部２の光ディスクデータ処理部２２とＶＣＲ記録再生部３の映像処理部３３と音声処理部３４との間が電気的に切断される。
【００３３】
このような状態で、図示していないリモコン等の操作手段からダビング処理の入力がされて、マイコン１がこれを検知すると、装着された光ディスクがＤＶＤであるためのダビングすることができない旨を示す表示データを生成して、図示しない表示部に表示する（Ｓ４）。また、マイコン１は、装着された光ディスクがＤＶＤであると検知すると、光ディスク再生部２に再生を行わない制御を行う。光ディスク再生部２は、この制御信号に従い、光ディスク情報読取部２１に装着されている光ディスクの再生を停止する。また、マイコン１は、装着された光ディスクがＤＶＤであると検知すると、ＶＣＲ記録再生部３には制御信号を出力しない。これにより、ＶＣＲ記録再生部３は動作しない。
【００３４】
一方、マイコン１は、入力された種別識別信号から光ディスク情報読取部２１に装着されている光ディスクの種別を識別して、光ディスクがＤＶＤでなければ、すなわち、ビデオＣＤ等であれば、スイッチＯＮ制御信号をスイッチ回路４に出力する（Ｓ２→Ｓ４）。
【００３５】
スイッチ回路４はマイコン１からスイッチＯＮ制御信号が入力されると、映像用スイッチ回路４１と音声用スイッチ回路４２とをＯＮ状態にする。これにより、光ディスク再生部２の光ディスクデータ処理部２２とＶＣＲ記録再生部３の映像処理部３３と音声処理部３４との間が導通される。
【００３６】
このような状態で、図示していないリモコン等の操作手段からダビング処理の入力がされて、マイコン１がこれを検知すると、以下に示す記録制御（ダビング制御）を行う（Ｓ６）。
【００３７】
具体的には、マイコン１は、装着されている光ディスクの情報を再生する制御を光ディスク再生部２に行うとともに、ビデオテープへ情報を記録する制御をＶＣＲ記録再生部３に行う。
【００３８】
光ディスク再生部２は、この光ディスク再生制御信号が入力されると、光ディスク情報読取部２１を駆動して、光ディスクに記録されている情報を読み取り、光ディスクデータ処理部２２で、映像信号と音声信号と生成して出力する。
【００３９】
光ディスクデータ処理部２２から出力された映像信号および音声信号は、それぞれスイッチ回路４の映像用スイッチ回路４１および音声用スイッチ回路４２を介してＶＣＲ記録再生部３の映像処理部３３および音声処理部３４に入力される。
【００４０】
ＶＣＲ記録再生部３は、マイコン１から記録制御信号が入力されると、映像処理部３３で入力された映像信号を所定形式の書込用映像信号に変換するとともに、音声処理部３４で音声信号をＨＩＦＩ形式に準じた所定形式の書込用音声信号に変換する。映像処理部３３は、自身が変換した書込用映像信号と音声処理部３４から入力された書込用音声信号との同期をとり、情報読取書込部３１に出力する。情報読取書込部３１は、装着されたビデオテープを所定速度で搬送するとともに、記録用磁気ヘッドを用いて入力された書込用映像信号と書込用音声信号とをビデオテープの所定の記録層に記録する。
【００４１】
以上のような構成とすることで、コピーガードが備えられたいるかどうかに関係なくＤＶＤのダビングを防止することができるので、ＤＶＤに記録された映像および音声の著作権を確実に保護することができる。
【図面の簡単な説明】
【００４２】
【図１】本発明の実施形態の複合情報記録再生装置の概略構成を示すブロック図
【図２】図１に示したスイッチ回路の内部ブロックを示した図
【図３】ダビング制御のフローチャート
【符号の説明】
【００４３】
１−マイコン
２−光ディスク再生部
２１−光ディスク情報読取部
２２−光ディスクデータ処理部
３−ＶＣＲ記録再生部
３１−情報読取書込部
３２−情報処理部
３３−映像処理部（ＹＣＡ  ＩＣ）
３４−音声処理部（ＨＩＦＩ  ＩＣ）
４−スイッチ回路
４１−映像用スイッチ回路
４２−音声用スイッチ回路
【図１】
2005346799.tif 000003
【図２】
2005346799.tif 000004
【図３】
2005346799.tif 000005